Podtech/llm-jp-corpus-v4-ja_patent huggingface dataset:
(57)【要約】【課題】従来の斜降式救助袋は、滑降面が平らな斜面であるため滑降スピードが速くて老人や子供や病人に恐怖心を抱かせたり脱出をためらわせたりしていた、そのため滑降スピードを緩めるために垂直式救助袋（らせんのスベリ台式救助袋）が考案されたが、救助袋が大型になりそのため収納スペース大きくしたり、狭いスペースでは使用できないなどの不都合があった、更にスベリ台はらせんの傾斜角度をゆるくすると滑らなかったり、角度を急にすると滑るスピードが速くなったり、また避難者の体重などでも滑降スピードが速くなったり遅くなったりする問題点が指摘されていた。【解決手段】本発明は、二層の膜体の内部に圧縮タンクから空気を注入し、二層の膜体の内部を凹凸に形成し、内部にロープを具備した。【選択図】図１
2005152347.tif 000002
【特許請求の範囲】
【請求項１】
二層の膜体の内部に空気を注入することを特徴とする救助袋。
【請求項２】
請求項１記載の二層の膜体の内部一層を凹凸に形成したことを特徴とする救助袋。
【請求項３】
請求項１記載の空気は圧縮タンクから注入することを特徴とする救助袋。
【請求項４】
請求項１記載の内部にロープを具備したことを特徴とする救助袋。
【発明の詳細な説明】
【技術分野】
【０００１】
本発明は、火災や地震などの災害発生時に老人や子供や病人でも安全に避難することのできる救助袋に関する。
【背景技術】
【０００２】
従来、火災や地震などの災害発生時に避難者が建築物の高所から脱出するための救助袋として、斜降式救助袋や垂直式救助袋（らせんのスベリ台式救助袋）が知られている。
【０００３】
斜降式救助袋はいわゆる角型の布製スベリ台でなる救助袋であって、基本的に左右の側面と滑降面、上面布で形成される角型の布製の構造物であり、避難者は傾斜して設置される斜降式救助袋の滑降面を滑って斜降して脱出する。
【０００４】
また、垂直式救助袋は斜降式救助袋と基本的に類似しているが、形状がほぼ円筒形であり、その中心部に設けた一本の滑降路の軸と、らせん式の滑降面が形成して有する構造で、垂直式救助袋は垂直に設置されて、避難者は滑降路の軸に腕を回らせてらせんン降面を、らせんスベリ台状に滑り降りて脱出する。
【特許文献１】特開２００３−１８０８５１号公報
【発明の開示】
【発明が解決しようとする課題】
【０００５】
しかし、従来の斜降式救助袋は、滑降面が平らな斜面であるため滑降スピードが速く、女性や老人や子供や病人などに恐怖心を抱かせ脱出をためらわせたりしていた、そのため滑降スピードを緩めるために垂直式救助袋（らせんのスベリ台式救助袋）が考案されたが、救助袋が大型になりそのため収納スペースを大きくする必要があった、また狭いスペースでは使用できないなどの不都合もあった、更にスベリ台はらせんの傾斜角度をゆるくすると滑らなかったり、角度を急にすると滑るスピードが速くなったり、また避難者の体重などでも滑降スピードが速くなったり遅くなったりする問題点が指摘されていた。
【課題を解決するための手段】
【０００６】
本発明は、上記目的を達成するため、請求項１記載の発明は、二層の膜体の内部に空気を注入することを特徴とする。
また、請求項２記載の発明は、請求項１記載の発明において、二層の膜体の内部を凹凸に形成したことを特徴とする。
また、請求項３記載の発明は、請求項１記載の発明において、空気は圧縮タンクから注入することを特徴とする。
また、請求項４記載の発明は、請求項１記載の発明において、内部にロープを具備したことを特徴とする。
【発明の効果】
【０００７】
本発明は、二層の膜体の内部に空気を注入することで、いち早く救助袋を膨らませ地面に到達することができる、また二層の膜体の内部を凹凸に形成したことで避難者の滑降スピードを緩くする、また空気は圧縮タンクから注入することで短時間に注入することができる、また、内部のロープを持つことで女性や老人や子供や病人なども安全に速やかに避難することができる。
【発明を実施するための最良の形態】
【０００８】
二層の膜体の内部に圧縮タンクから空気を注入し、二層の膜体の内部を凹凸に形成し、内部にロープを具備したことで実現した。
【実施例】
【０００９】
以下に実施例を挙げ、本発明の救助袋について、図面を参照して詳細に説明する。
【００１０】
図１は、この発明に係わる救助袋の実施例を示す斜視図である。
【００１１】
図１において、救助袋１は外膜体２と内膜体３の二層の膜体で形成されている、外膜体２の形状は、例えば円形でも四角形でもよい、内膜体３は凹凸に形成されている、外膜体２と内膜体３の間は空気４が注入されるため、空気４が外部に漏れないよう膜体は密封されている。
【００１２】
前記空気４は圧縮タンク８から注入される、圧縮タンク８と救助袋１とはホース１０でつながっており、圧縮タンク８に付着しているバルブ９を開けると空気４が救助袋１に注入される、バルブ９を閉じると空気４の注入が停止される、圧縮タンク８は空気を簡単に短時間で注入することができる利点がある、また空気に消火剤として使用されるガス類や溶剤を混合してもよい。
【００１３】
従来の救助袋は地上においてロープで展張したりフックで固定したりする必要があり、必ず地上部での支援者の協力がないと救助袋が使用できない不都合があった、本発明は階上の避難者だけで救助袋が完成できる特徴を備えている。
【００１４】
また本発明の救助袋１は垂直に下ろしても避難者が落下しないように凸凹の内膜体３が干渉することで安全に下りて行くことができるので狭い場所での使用が可能である。
【００１５】
圧縮タンク８に付着しているバルブ９を開けると空気が外膜体２と内膜体３の間に注入され、空気が満充になると内膜体３は凹凸の膜面を形成する、凹凸の間は必ず人が通過できる空間が確保されている、内膜体３の凹凸はストレートに地面に避難者が落下することを防止する効果がある、人によっては大きな体躯の人でも凸凹の空間は空気膜であるため押し込めば通過は可能である。
【００１６】
避難者は脱出口５から入り凹凸の内膜体３の空間を通って出口６から退去する、避難者は垂直に下りて行く恐怖心を少しでも和らげるために凸凹の空間にロープ１１が具備されており避難者はロープ１１をつかみながら斜降するため恐怖心を和らげることができる。
【００１７】
救助袋１の上部は固定金具７に堅固に接続され、固定金具７は折りたたみ式でベランダ等にコンパクトに収納される、救助袋１の下部には空気４が注入され落下のクッション１２の役目を行う。
【産業上の利用可能性】
【００１８】
本発明は、火災や地震などの災害発生時に避難者が建築物の高所から脱出するための救助袋に関している。
【図面の簡単な説明】
【００１９】
【図１】この発明に係わる救助袋全体の実施の形態を示す斜視図である。
【符号の説明】
【００２０】
１    救助袋
２    外膜体
３    内膜体
４    空気
５    脱出口
６    出口
７    固定金具
８    圧縮タンク
９    バルブ
１０  ホース
１１  ロープ
１２  クッション
【図１】
2005152347.tif 000003
(57)【要約】【課題】  ラミナ等に接着剤を塗布ロールで塗布する接着剤塗布装置において、接着剤の無駄が少ない接着剤塗布装置を提供すること。【解決手段】  塗布ロールを駆動軸から抜き差し自在とし、接着剤を塗布するラミナの幅に合わせて塗布ロールを交換自在とした。【選択図】  図１
2005152872.tif 000002
【特許請求の範囲】
【請求項１】
ラミナ等に接着剤を塗布ロールで塗布する接着剤塗布装置において、
塗布ロールを駆動軸から抜き差し自在とし、接着剤を塗布するラミナの幅に合わせて塗布ロールを交換自在としたことを特長とする接着剤塗布装置。
【発明の詳細な説明】
【技術分野】
【０００１】  本発明は木材の集成材工場等でラミナ等に接着剤を塗布する接着剤塗布装置に関する。
【背景技術】
【０００２】  ラミナに接着剤を塗布するにはロールコーター（例えば非特許文献１参照）や、複数の吐出孔を有するグルーヘッドから接着剤を幾筋もラミナ上に滴下するグルーエクストルーダで行われている。
【非特許文献１】「木材工業ハンドブック」（５６６ページ）昭和５７年６月３０日発行  丸善刊
【発明の開示】
【発明が解決しようとする課題】
【０００３】  しかしラミナには種々の幅のものが存在する。そのため図３のようなロールコーターは最大幅のラミナに合わせて塗布ロール３１の長さを決めており、幅の狭いラミナ１１の場合は塗布ロール３１の余分な部分にもドクターロール３２の作用によって接着剤１２が行き渡ってしまうため、接着剤が無駄になっている。【０００４】  また図４（１），（２）のようなグルーエクストルーダもグルーヘッド４１のラミナ１１の幅からはみ出す部分から滴下された接着剤１２は無駄になっている。さらにグルーエクストルーダの場合、ラミナ１１の上面先頭部に接着剤１２を確実に塗布するためにラミナ１１の進行をセンサーで検出し、その先頭部がグルーヘッド４１に到達する前に接着剤１２の滴下を開始するため、その分ラミナ１１上に滴下されない接着剤１２が生じ、無駄になっている。ラミナ１１の後部についても通過後に滴下を停止するので、接着剤１２の無駄が生じている。
【課題を解決するための手段】
【０００５】  本発明は以上の点から成したものであり、接着剤の無駄が少ない接着剤塗布装置を提供することを目的とし、その特徴とするところは、ラミナ等に接着剤を塗布ロールで塗布する接着剤塗布装置において、塗布ロールを駆動軸から抜き差し自在とし、接着剤を塗布するラミナの幅に合わせて塗布ロールを交換自在としたことである。
【発明の効果】
【０００６】  本発明によれば、塗布ロールをラミナの幅に併せて交換できるようにしたため、無駄になる接着剤が著しく減少するという効果を有する。
【発明を実施するための最良の形態】
【０００７】  図１（１）は接着剤塗布装置の正面図、図１（２）は側面図でいずれも接着剤を塗布する部分のみ図示している。１３Ａは塗布ロールで鉄やアルミで製作され、中心に駆動軸を挿通する孔を有し、外周部にはゴムが巻かれている。塗布ロール１３Ａの長さＷ１はラミナ１１Ａよりもわずかに広いものを装着する。１４は片持ち構造の駆動軸で図示しないモーターで駆動される。駆動軸１４には前記塗布ロール１３が挿通され、端部にナット１５を螺合して塗布ロール１３Ａと駆動軸１４を固定する。１６は糊押さえで塗布ロール１３の両側に接触していて、片側の糊押さえ１６Ｂは塗布ロール１３の長さに応じて移動自在としている。１７は接着剤の塗布量を調整するドクターブレードである。１８は塗布ロール１３、糊押さえ１６、ドクターブレード１７で形成される糊溜まりに接着剤１２を図示しないポンプ等によって供給するノズルである。接着剤１２はラミナ１１に塗布されて糊溜まりから接着剤１２が減少する分と同期してノズル１８から吐出され、常時定量の接着剤１２が糊溜まりに存在するよう制御される。１９はラミナ１１の走行を案内する円盤状のガイドで、図示しないモーターで駆動される。また片側のガイド１９Ｂはラミナ１１の幅のばらつきに対応できるようにバネ等でラミナ１１側に付勢されている。２０は下部ロールで図示しないモーターで駆動される。【０００８】  塗布ロール１３は駆動軸１４，糊押さえ１６，ドクターブレード１７等と一体となってエアシリンダ等で昇降自在とし、ラミナ１１の進行に合わせて昇降制御される。【０００９】  幅の異なるラミナ１１Ｂに接着剤を塗布する場合は、図２のようにナット１５をはずしてそれまで装着されていた塗布ロール１３を抜き、ラミナ１１Ｂの幅よりわずかに長い長さＷ２の塗布ロール１３Ｂを装着し、接着剤を塗布する。【００１０】  上記実施例はラミナ幅に合わせた長さの塗布ロール１３を単体で交換するようにしているが、図５のように分割した３つの塗布ロール１３Ｃ，１３Ｄ，１３Ｅで構成し、ラミナ１１Ｂに塗布する場合は図６のように塗布ロール１３Ｄを抜くようにしても良い。
【図面の簡単な説明】
【００１１】
【図１】本発明の接着剤塗布装置の説明図
【図２】本発明の接着剤塗布装置の説明図
【図３】従来のロールコーターの説明図
【図４】従来のグルーエクストルーダの説明図
【図５】本発明の接着剤塗布装置の説明図
【図６】本発明の接着剤塗布装置の説明図
【符号の説明】
【００１２】    １１  ラミナ
１３  塗布ロール
１４  駆動軸
１６  糊押さえ
１７  ドクターブレード
【図１】
2005152872.tif 000003
【図２】
2005152872.tif 000004
【図３】
2005152872.tif 000005
【図４】
2005152872.tif 000006
【図５】
2005152872.tif 000007
【図６】
2005152872.tif 000008
(57)【要約】【課題】  畳の洗浄は、畳表を外して行なうか、畳表を替えるしか方法がなかった。そこで、畳を敷いたままの状態で洗浄する方法を提供する。【解決手段】  模造イグサを織った畳表を用いた畳の表側から植物性洗剤を撒布し、１〜８分後、過酸化水素水溶液を撒布し、更に１〜８分後、ブラッシング、撒水、吸水を行ない、最後に送風乾燥させる。【選択図】  なし【特許請求の範囲】
【請求項１】
模造イグサを織った畳表を用いた畳の表側から植物性洗剤を撒布し、１〜８分後、過酸化水素水溶液を撒布し、更に１〜８分後、ブラッシング、撒水、吸水を行ない、最後に送風乾燥させることを特徴とする畳の洗浄方法。
【請求項２】
ブラッシング、撒水、吸水は、１台の装置で同時に行なうものである請求項１記載の畳の洗浄方法。
【発明の詳細な説明】
【技術分野】
【０００１】
本発明は、畳の洗浄方法に関するものである。
【背景技術】
【０００２】
畳は、古くから洗わないものであり、通常は掃く、拭くという掃除であり、畳を上げてもたたく程度である。要するに水をかけて洗浄するという発想がないのである。
【０００３】
このような畳であっても、汚れることは同じであり特にフローリング等と異なり隙間から下方にゴミ等が落下することもある。また、イグサの皺の間や表面に汚れが付くと拭いただけではなかなか落ちない。
【０００４】
しかし、天然のイグサを用いた従来の畳表では、水やブラシによる洗浄はかえって畳表を損傷することになる。よって、畳表を替えるしか方法がなかったのである。
【発明の開示】
【発明が解決しようとする課題】
【０００５】
そこで、本発明者は、模造イグサによる畳表には種々洗浄が可能であることを見出し、本発明に到達したのである。
【課題を解決するための手段】
【０００６】
以上のような状況に鑑み、本発明者は鋭意研究の結果本発明畳の洗浄方法を完成させたものであり、その特徴とするところは、模造イグサを織った畳表を用いた畳の表側から植物性洗剤を撒布し、１〜８分後、過酸化水素水溶液を撒布し、更に１〜８分後、ブラッシング、撒水、吸水を行ない、最後に送風乾燥させる点にある。
【０００７】
模造イグサとは、プラスチック等で製造したイグサ様のものであり、材料や製法は種々のものが知られている。本発明では、天然イグサでない限りどのようなものでも可能である。畳表はこれを織ったものであり、織り方も自由であり、特別なものである必要はない。
【０００８】
洗浄液とは、通常の洗剤であり特別なものである必要はない。通常の洗剤の水溶液でよい。環境を考慮すると植物由来のものが好ましい。例えば、植物性の脂肪酸の塩等である。勿論、これらは混合物でもよく、他の洗剤やビルダーを混合してもよい。
撒布量は、通常の家庭用洗剤の場合には、１畳当たり１００〜５００ｃｃ、なかでも２００〜３００ｃｃ程度が好適である。
【０００９】
この洗浄剤を撒布（噴霧）した後、一定期間（１〜８分）放置する。これは、洗浄剤を畳に十分浸透させるためである。１分以下では効果が十分でなく、８分以上では浸透しすぎになる。
【００１０】
この浸透後に過酸化水素水溶液を撒布する。これは１種のビルダーと考えられる。この洗剤とビルダーを別途撒布するため、汚れを浮き立たせる効果がある。過酸化水素を使用するのは、過酸化水素から発生する発生期の酸素による反応力によって汚れや異物を分解するためである。また、殺菌効果や脱臭効果も期待できる。
この過酸化水素の濃度は、１〜１０重量％が好適であり、１畳当たり２００〜３００ｃｃ程度散布する。
【００１１】
このように過酸化水素水溶液を撒布した後も、１〜８分程度放置する。これは十分反応するのを待つためである。
このように、液体を撒布した後、十分時間を置くことも本発明の特徴の１つである。従来、畳に水をかけることは禁忌であり、洪水で水に浸かった畳が駄目になる印象からだれもそのようなことをしなかった。
本発明では、これを模造イグサの畳であること、液体の量と放置時間の研究、吸水と乾燥工程を行なうこと等によって解決したのである。
【００１２】
ブラッシングとは、畳表をブラシでこするととであり、ブラッシング装置で行なっても、人手によってもよい。ブラシの硬さは模造イグサを傷つけない程度のものがよい。また、ブラッシング装置とは、円筒状のブラシが回転するもので、自転だけのものでも、公転と自転の両方を行なうものでもよい。装置としては、家庭用掃除機のように手で押すタイプが好適であるが自走式のものでもよい。
【００１３】
撒水は、水をかけて洗剤と汚れを流すためのものであり、その水は畳の下方に浸透しすぎないように、撒いた直後に吸水する。撒水は機械で行なっても、手でジョウロ等で撒いてもよい。
撒水の量は洗剤が十分すすげるよう多量である。直後に吸水するため、水でいためることはない。また、すすぎは複数回行なってもよい。
【００１４】
吸水は掃除機のような吸引装置で行なう。サイクロン式等の水を吸引できる掃除機でも可能である。勿論、液体専用の吸引装置が望ましい。
撒水と吸水が同時に１台の装置で行なえるリンサーと呼ばれるすすぎ装置が市販されているが、それを用いてもよい。
【００１５】
更に、ブラッシング、撒水、吸水３つの動作が１台でできる装置も存在するが、そのようなものを利用してもよい。
【００１６】
送風乾燥は、ブロアや扇風機で、冷風や温風を送風して乾燥させるものである。これも塗料等の乾燥に用いられる市販の送風機でよい。この乾燥工程は、時間は自由であり、畳が乾燥すれば完了である。
【発明の効果】
【００１７】
本発明畳の洗浄方法には次のような大きな利点がある。
（１）  畳を敷いたまま、洗浄できるため手間がかからない。
（２）  拭くだけでは落ちない汚れが落ちるため非常に綺麗になる。
（３）  天然イグサと異なり褪色の少ない模造イグサであるため、新品のようになる。
（４）  畳の新調や表替えの頻度が減り、経済的である。
【発明を実施するための最良の形態】
【００１８】
以下実施例に沿ってより詳細に説明する。
【実施例１】
【００１９】
１２畳の部屋の畳を敷いたまま洗浄するとする。
畳に液体洗剤を、１畳当たり２００ｃｃ撒布した。そして、５分経過した後、過酸化水素水溶液（３重量％水溶液）を同様に１畳当たり２００ｃｃ撒布した。この時に用いた洗剤は、通常の植物性の液体洗剤である。
５分放置後、ブラッシング、撒水、吸水を１台でできる装置によって、部屋全体をブラッシングする。この装置では、１回部屋をゆっくりと走行（約２０分間）しただけでブラッシングとすすぎが完了する。ブラッシングは、ブラシが電気モーターで回転し、本体は手で移動させるタイプのものである。
【００２０】
すすぎが完了した後、送風機によって乾燥させた。部屋を開け放して、送風機を稼動させただけである。
(57)【要約】【課題】重金属含む処理対象廃水に対して直接消石灰や炭酸カルシウムを添加していた方法は、消石灰等そのものを重金属が混ざった膨大な量のライムケーキ廃棄物にしていた為、資源を無駄にしてきた。しかもそのライムケーキ廃棄物は利用法が無くリサイクル出来なかった。本発明は上記問題を解決する方法を提供する事である。【解決手段】目的を達成する為に本発明は、消石灰や炭酸カルシウム、またはライムケーキ焼成生石灰と水を反応させた消石灰を河川水等に添加撹拌し、固液分離する事によって得られた飽和水酸化カルシウム溶液を、鉱山廃水等の重金属を凝集沈殿させる為の処理剤とし、一方の分離した固体側の消石灰ライムケーキは河川水等に再度添加する事で新たに飽和水酸化カルシウム溶液を作る事が出来、消石灰をリサイクルさせて資源を無駄にしないで鉱山等の廃水処理剤を製造出来るので目的が達成される。【選択図】  図１
2005152869.tif 000002
【特許請求の範囲】
【請求項１】
消石灰や炭酸カルシウム、またはライムケーキ焼成生石灰と水を反応させた消石灰を河川水等に添加撹拌し、固液分離する事によって得られた飽和水酸化カルシウム溶液を、鉱山廃水等の重金属を凝集沈殿させる為の処理剤とする製造方法。
【請求項２】
請求項１での固液分離した一方の固体側である消石灰等のライムケーキは河川水等に再度添加することで飽和水酸化カルシウム溶液を作るための材料として再利用出来、溶解によって不足した分は消石灰や炭酸カルシウム、またはライムケーキ焼成生石灰と水を反応させた消石灰を追加する事で資源を無駄にしないで繰り返し鉱山廃水等の重金属を凝集沈殿させる為の処理剤を得られる製造方法。
【発明の詳細な説明】
【技術分野】
【０００１】本発明は消石灰や炭酸カルシウム、またはライムケーキ焼成生石灰と水を反応させた消石灰を河川水等に添加撹拌し、固液分離する事によって得られた飽和水酸化カルシウム溶液を、鉱山廃水等の重金属を凝集沈殿させる為の処理剤とし、一方の分離した固体側の消石灰ライムケーキは河川水等に再度添加することで新たに飽和水酸化カルシウム溶液を作る事が出来、消石灰を再利用しながら得ることが出来る廃水処理剤の技術分野に属する物である。
【背景技術】
【０００２】従来迄は消石灰や炭酸カルシウムを処理対象廃水に対して直接添加していた為、消石灰そのものが使い捨てとなっており資源の無駄になっていた。
【発明の開示】
【発明が解決しようとする課題】
【０００３】重金属含む処理対象廃水に対して直接消石灰や炭酸カルシウムを添加していた方法は、消石灰等そのものを重金属が混ざった膨大な量のライムケーキ廃棄物にしていた為、資源を無駄にしてきた。しかもそのライムケーキ廃棄物は利用法が無くリサイクル出来なかった。
本発明は上記問題を解決する方法を提供する事である。
【課題を解決するための手段】
【０００４】目的を達成する為に本発明は、消石灰や炭酸カルシウム、またはライムケーキ焼成生石灰と水を反応させた消石灰を河川水等に添加撹拌し、固液分離する事によって得られた飽和水酸化カルシウム溶液を、鉱山廃水等の重金属を凝集沈殿させる為の処理剤とし、一方の分離した固体側の消石灰ライムケーキは河川水等に再度添加する事で新たに飽和水酸化カルシウム溶液を作る事が出来、消石灰をリサイクルさせて資源を無駄にしないで鉱山等の廃水処理剤を製造出来るので目的が達成される。
【発明の効果】
【０００５】本発明による効果は、消石灰等を直接重金属含む廃水に投入せず、河川水等のきれいな水に消石灰等を加え飽和水酸化カルシウム溶液を分離し、それを鉱山廃水等の処理剤とするので重金属混じりのライムケーキの廃棄が無くなり、かつこの飽和水酸化カルシウム溶液によって凝集した沈殿物は大量の石灰が混ざらないので重金属の資源として得られる。また飽和水酸化カルシウム溶液を分離した一方の消石灰のライムケーキは重金属の混入がない為繰り返し再利用出来、画期的な効果がある。
【発明を実施するための最良の形態】本発明の実施の形態を実施例にもとづき説明する。
【実施例１】
【０００６】河川水等１を一度タンク２に集め撹拌しながら消石灰、炭酸カルシウム等３をｐＨ約１３の範囲で状態を確認しながら適宜混合する。さらに撹拌を続けながら濾布脱水などの脱水機４などに送り込み固液分離し、固体の方は消石灰ライムケーキ５となり再利用するためタンク２に投入する。液体の方は飽和水酸化カルシウム溶液となり、鉱山廃水等の重金属を凝集沈殿させる為の処理剤６となる。溶解によって不足した場合は消石灰、炭酸カルシウム等３を適宜追加する。これを実施例とする。
【産業上の利用可能性】
【０００７】鉱山廃水等の処理は２４時間絶え間なく続く為、廃棄物も同様に途絶えることが無い。鉱山廃水等のライムケーキ廃棄物はこれまでの分でも膨大な量になっており、廃棄場所の確保や再利用法の検討等もなかなか良い対策が出されていない。
しかし本発明の利点は消石灰や炭酸カルシウム、またはライムケーキ焼成生石灰と水を反応させた消石灰を河川水等に添加撹拌し、固液分離する事によって得られた飽和水酸化カルシウム溶液を、鉱山廃水等の重金属を凝集沈殿させる為の処理剤とし、一方の分離した固体側の消石灰ライムケーキは河川水等に再度添加することで新たに飽和水酸化カルシウム溶液を作る事が出来、消石灰を再利用させて資源を無駄にしないで鉱山等の廃水処理剤を繰り返し製造できるのでこれからの環境問題、廃棄物問題対策の一つとして産業上の利用可能性はある。
【図面の簡単な説明】
【０００８】
【図１】消石灰を再利用しながら鉱山等の廃水処理剤を得る製造工程図である
【符号の説明】
【０００９】１  最寄りの河川水等
２  鉱山廃水等の処理剤製造用混合タンク（攪拌機付き）
３  消石灰、炭酸カルシウム、またはライムケーキ焼成生石灰と水を反応させた消石灰
４  濾布脱水や、遠心分離などの脱水機
５  消石灰ライムケーキ（再利用）
６  鉱山廃水等の処理剤（飽和水酸化カルシウム溶液）ｐＨ約１３
【図１】
2005152869.tif 000003
(57)【要約】【課題】  皮膚損傷部を保護すると共に、傷を早期に治癒することの出来る創傷被覆用絆創膏を提供しようとするものである。【解決手段】  片面を粘着面１ａとしたテープ状柔軟支持体１の粘着面中央部に不織布２を取付け、キトサン及びセルロースを主成分とし、治癒効果を高める薬剤や天然色素等を添加含有させたシート状発泡体３を、前記不織布２に貼付けたものである。治癒効果を高める天然色素としては、緑色のスピルリナ抽出物，青色のスピルリナ由来抽出物，紅色のアスタキサンチン，黄色の笹の葉エキスが挙げられる。【選択図】  図２
2005152070.tif 000002
【特許請求の範囲】
【請求項１】
片面を粘着面（１ａ）としたテープ状柔軟支持体（１）の粘着面略中央部に不織布（２）を取付け、キトサン及びセルロースを主成分とするシート状発泡体（３）を、前記不織布（２）に貼付けたことを特徴とする創傷被覆用絆創膏。
【請求項２】
片面を粘着面（１ａ）としたテープ状柔軟支持体（１）の粘着面略中央部に不織布（２）を取付け、キトサン及びセルロースを主成分とすると共に、治癒効果を高める薬剤や天然色素等を添加含有させたシート状発泡体（３）を、前記不織布（２）に貼付けたことを特徴とする創傷被覆用絆創膏。
【請求項３】
治癒効果を高める天然色素が、緑色のスピルリナ抽出物，青色のスピルリナ由来抽出物，紅色のアスタキサンチン，黄色の笹の葉エキスであることを特徴とする請求項２に記載の創傷被覆用絆創膏。
【発明の詳細な説明】
【技術分野】
【０００１】
この発明は、怪我したときに創傷した傷口を覆って皮膚に貼付ける絆創膏の分野に関するものである。
【背景技術】
【０００２】
従来、創傷救急用の絆創膏として、テープ状の片面粘着性柔軟支持体に消毒ガーゼや消毒不織布を取付けた絆創膏が広く用いられていた。
【発明の開示】
【発明が解決しようとする課題】
【０００３】
テープ状柔軟支持体に消毒ガーゼや消毒不織布を取付けた従来の絆創膏は主として損傷部の保護のために用いられており、絆創膏自体が皮膚損傷部の治癒を促進する作用は低かった。この発明は皮膚損傷部を保護すると共に、傷を早期に治癒することの出来る創傷治療用絆創膏を提供しようとするものである。
【課題を解決するための手段】
【０００４】
キトサンには創傷治癒効果があることが以前から知られている。また、キトサンとセルロールを主成分とする発泡体を医療用被覆保護材として利用することも知られている。（例えば、特許文献１参照）
この発泡体を絆創膏に利用することにより、傷の治癒を早めることが出来る。さらにこの発泡体に治癒効果を高める薬剤や天然色素等を含有させると、その効果を増大させることが出来る。
【特許文献１】特許第２７９４２４６号公報
【０００５】
請求項１の発明に係る創傷被覆用絆創膏は、片面を粘着面１ａとしたテープ状柔軟支持体１の粘着面略中央部に不織布２を取付け、キトサン及びセルロースを主成分とするシート状発泡体３を、前記不織布２に貼付けたことを特徴とするものである。
【０００６】
請求項２の発明に係る創傷被覆用絆創膏は、片面を粘着面１ａとしたテープ状柔軟支持体１の粘着面略中央部に不織布２を取付け、キトサン及びセルロースを主成分とすると共に治癒効果を高める薬剤や天然色素等を添加含有させたシート状発泡体３を、前記不織布２に貼付けたことを特徴とするものである。
【０００７】
請求項３の発明に係る創傷被覆用絆創膏は請求項２の発明において治癒効果を高める天然色素が、緑色のスピルリナ抽出物，青色のスピルリナ由来抽出物，紅色のアスタキサンチン，黄色の笹の葉エキスであることを特徴とするものである。
【発明の効果】
【０００８】
請求項１の発明は、テープ状柔軟支持体１に取付けた不織布２にキトサン及びセルロースを主成分とするシート状発泡体３を貼付け、シート状発泡体３が傷口に当たるようにしているので創傷の治癒を早めることが出来る。
【０００９】
請求項２の発明は、シート状発泡体に薬剤や天然色素等を添加してあるので、創傷の治癒を一層早めることが出来る。
【００１０】
請求項３の発明は、請求項２の発明において、天然色素を緑色のスピルリナ抽出物，青色のスピルリナ由来抽出物，紅色のアスタキサンチン，黄色の笹の葉エキスとしたもので、創傷の治癒に役立つ。
【発明を実施するための最良の形態】
【００１１】
図１，図２において、１はテープ状柔軟支持体で、該柔軟支持体１の片面は粘着面１ａとなっており、肌に貼付ける面である。２は不織布で、粘着面１ａの略中央部に取付けられている。３はシート状発泡体で、キトサン及びセルロースを主成分とし、治癒効果を高める薬剤，天然色素が添加含有されており、不織布２に貼付けてある。治癒効果を高める天然色素としては、
緑色のスピルリナ抽出物
（製造メーカー：大日本インキ化学工業株式会社  商品名：スピルリナＦＤ），
青色のスピルリナ由来抽出物
（製造メーカー：大日本インキ化学工業株式会社  商品名：スピルリナ色素），
紅色のアスタキサンチン
（製造メーカー：ケイ・アイ化成株式会社  商品名：ファフィア抽出液），
黄色の笹の葉エキス
（製造メーカー：株式会社クロロランド・モシリ  商品名：ＩＩＡＳＳ）
が挙げられる。
【実施例】
【００１２】
図３を参考にして説明する。濃度４％のセルロース液１２５ｇに、グリセリン９ｇ（シグマアルドリッチジャパン株式会社製  特級），蒸留水２００ｇ，濃度１．６％のキトサン７５ｍｌ（ヤエガキ発酵技研株式会社製  イカキトサン食添用），
界面活性剤０．５ｇ（日本油脂株式会社製  ノニオンＬＴ−２２１）を加え、攪拌して泡立５てた。
【００１３】
次いで炭酸アンモニウム４ｇ，を蒸留水１０ｍｌに加えた水溶液に緑色のスピルリナ抽出物０．９３ｇ，青色のスピルリナ由来色素（リナブルー）１．２５ｇ，
紅色のアスタキサンチン１．２５ｇ，黄色の笹の葉エキス２．０ｇ，よりなる薬剤，色素等を添加攪拌し，整泡６して，不織布２（不織布：日清紡株式会社製  オイコスＰＬ２０５０）の上に流延７し、成形８し，３０°Ｃで４時間の凍結乾燥８または６０°Ｃで２時間の熱風乾燥９をして、最後に支持体１に貼付１０して、創傷被覆用絆創膏を作った。
【００１４】
不織布に消毒剤を含ませた従来のものと本発明品とを創傷箇所に当て比較してみた所、従来品に比べて本発明品−は、期待通り早期に創傷が治癒した。
【図面の簡単な説明】
【００１５】
【図１】本発明に係る創傷被覆用絆創膏の正面図である。
【図２】図１の中央部の垂直切断右側面図である。
【図３】本発明に係る創傷被覆用絆創膏の製造工程図である。
【符号の説明】
【００１６】
１      柔軟支持体
１ａ    粘着面
２      不織布
３      シート状発泡体
５      泡立
６      整泡
７      不織布に流延
８      成形
９      乾燥
１０    支持体に貼付
【図１】
2005152070.tif 000003
【図２】
2005152070.tif 000004
【図３】
2005152070.tif 000005
(57)【要約】【課題】従来の約３分の１の供給電圧で、従来と同様な高圧の高周波電流を出力させ、消費電力の低減を図ると共に、部品類の小型化も可能となる高周波美容器における小型高周波電流出力器を提供する。【解決手段】発振回路１、増幅用ドライブ回路３、ハーフブリッジ回路４および高周波出力部で構成される高周波美容器の高周波電流出力器において、該発振回路１と該増幅用ドライブ回路３の間に遮断回路２を設け、発振動作中に定期的にＯＦＦの時間を設定すると共に、高周波電力出力部においてコイル５と人体の抵抗を利用した共振回路８により高周波電圧を発生させる。【選択図】図１
2005152062.tif 000002
【特許請求の範囲】
【請求項１】
発振回路、増幅用ドライブ回路、ハーフブリッジ回路および高周波出力部で構成される高周波美容器の高周波電流出力器において、該発振回路と該増幅用ドライブ回路の間に遮断回路を設け、発振動作中に定期的にＯＦＦの時間を設定すると共に、高周波電力出力部においてコイルと人体の抵抗を利用した共振回路により高周波電圧を発生させることを特徴とする高周波美容器における小型高周波電流出力器。
【発明の詳細な説明】
【技術分野】
【０００１】
本発明は、高周波美容器における高周波電流出力器の小型化に関するものである。
【背景技術】
【０００２】
従来の高周波美容器における高周波電流出力回路では、発振回路で微弱な高周波を発生させた後、ドライブ回路で増幅し、プッシュプル回路で昇圧トランスを駆動して高電圧変換を行い、高圧の高周波電流にして、それをダイレクトに人体へ通電して人体の接触部分を発熱させている。
【０００３】
従来の高周波美容器における高周波電流出力器は、図３に示すような回路構成である。すなわち、発振回路１１で生成された微弱高周波電流は、ドライブ回路１２で増幅された後、プッシュプル回路１３に供給されて昇圧トランス１４を起動する。前記昇圧トランス１４で高圧に変換された高周波電流は、高周波出力端子１５により人体１６に供給され、人体１６の接触部分を皮下発熱させて美容効果を発揮するよう構成されている。
【発明の開示】
【発明が解決しようとする課題】
【０００４】
前記従来の高周波美容器における小型高周波電流出力器では、高圧の高周波電流を得るために昇圧トランスを使用していたが、このトランスの１次側と２次側の結合ロスが大きく、所定の高圧高周波電流を取得するためには大きめの電力を供給する必要があった。これに伴い、発生する機器の熱も大きく、熱を発散・吸収するためにも大きな放熱構造（ヒートシンク）や空洞が必要であった。また、高周波出力端子を一定時間以上に人体の特定個所に接触させていると、人体の接触部分が火傷を起こす可能性があるため、高周波出力端子は一定時間内に次々と別の部位へ移動させる必要があり、このため、高周波美容器の取り扱いには慣れるまで多少の時間を要していた。
【課題を解決するための手段】
【０００５】
前記課題を解決するために、本発明は、発振回路とドライブ回路の間に遮断回路を設け、発振動作中に定期的に発振中断の時間を設定し、また、高周波出力部でコイルと人体の抵抗による共振回路を形成させることにより、従来の方法に比べ約３倍の高圧高周波電流を発生させることができるような構成として、従来と同程度の高周波出力電流を得るのに、ドライブ回路に供給する電圧が約３分の１で足りるようにした。
【０００６】
このため、消費電力を低減することが可能となり、また、部品類の発熱も少なくなって小容量・小型部品類や小型放熱機構の使用が可能となり、全体として小型軽量の高周波電流出力器を実現することができる。
【発明の効果】
【０００７】
本発明の小型高周波電流出力器は、従来の高周波電流出力器の短所であった昇圧トランスを廃止し、人体の電気抵抗を利用した共振回路を形成することにより、従来の約３分の１の供給電圧で従来と同様な高圧の高周波電流を出力させることが可能となり、消費電力の低減ばかりではなく、昇圧トランスによる熱の発散がなくなるため、部品類の小型化や更に熱の発散・吸収機器の小型化も可能となり、全体として小型軽量の高周波電流出力器とすることが可能となった。
【０００８】
また、発振回路とドライブ回路の間に遮断回路を設けると共に、前記人体の電気抵抗を利用した共振回路を形成することにより、ソフトな熱感で皮下発熱させることができるなどのタイミングが取りやすくなる。また、高周波出力端子を一定時間以上人体の特定個所に接触させることによる接触部分の火傷の可能性を低減することができ、一般家庭でも容易に本発明の小型高周波電流出力器を使用することが可能となる。
【実施例】
【０００９】
本発明の実施例を図面に基づいて詳細に説明する。図１は本発明の小型高周波電流出力器の回路構成図である。本発明の小型高周波電流出力器は、発振回路１、遮断回路２、ドライブ回路３、ハーフブリッジ回路４、コイル５および高周波出力端子６で構成される。また、コイル５、高周波出力端子６および人体７により共振回路８を形成する。
【００１０】
前記発振回路１で生成された微弱高周波電流は、遮断回路２を通してドライブ回路３に供給され増幅される。該ドライブ回路３で増幅された高周波電流は、次のハーフブリッジ回路４を通して共振回路８の起動に必要な電圧となり、高周波出力端子６を人体に接触させることにより、該共振回路８で安定した高圧の高周波電流を発生させることが可能である。
【００１１】
安定した高圧の高周波電流を高周波出力端子6により人体7に接触させていると、人体７の該高周波出力端子６が接触している皮下の部分は、次第に熱を帯びて血液やリンパの循環が良くなり美容効果が期待される。しかし、１個所に長時間接触させていると、火傷を引き起こす可能性があるので、遮断回路２により高周波出力を定期的に遮断することにより、接触部分の熱の上昇を抑えることができると共に、省電力効果を果たすことができる。
【００１２】
図２に遮断回路２の高周波出力波形を示す。該遮断回路２において微弱高周波電流を定期的に遮断し、ＯＮの状態とＯＦＦの状態を交互に発生させる。これにより、高周波出力端子６においては、該遮断回路２の出力波形に連動した高圧高周波電流が出力される。
【図面の簡単な説明】
【００１３】
【図１】本発明高周波美容器における小型高周波電流出力器の回路構成図である。
【図２】本発明高周波美容器における小型高周波電流出力器の遮断回路の高周波出力波形図である。
【図３】従来の高周波美容器における小型高周波電流出力器の回路構成図である。
【符号の説明】
【００１４】
１  発振回路
２  遮断回路
３  ドライブ回路
４  ハーフブリッジ回路
５  コイル
６  高周波出力端子
７  人体
８  共振回路
【図１】
2005152062.tif 000003
【図２】
2005152062.tif 000004
【図３】
2005152062.tif 000005
(57)【要約】【課題】  取り付け取り外しが容易であるとともに、入浴者の体形や入浴姿勢に応じて容易に高さ調節を行うことが可能なヘッドレストを提供する。【解決手段】  片側に凸部１が設けられた台座２と、該凸部１に嵌合可能な複数の凹部３が設けられた本体４とからなる（好ましくは、台座２又は本体４が軟質発泡材からなる）ヘッドレストであって、上記凸部１と凹部３の嵌合位置を変えることによって本体４の高さ調節が可能であり、台座２及び本体４が、壁面５及びその壁面に繋がる框部６に脱着可能な取り付け具７，８（好ましくは、吸盤）を有する。【選択図】  図１
2005152031.tif 000002
【特許請求の範囲】
【請求項１】
片側に凸部が設けられた台座と、該凸部に嵌合可能な複数の凹部が設けられた本体とからなるヘッドレストであって、上記凸部と凹部の嵌合位置を変えることによって本体の高さ調節が可能であり、台座及び本体が、壁面又はその壁面に繋がる框部に脱着可能な取り付け具を有することを特徴とするヘッドレスト。
【請求項２】
脱着可能な取り付け具が吸盤であることを特徴とする請求項１記載のヘッドレスト。
【請求項３】
台座又は本体が軟質発泡材からなることを特徴とする請求項１又は２記載のヘッドレスト。
【発明の詳細な説明】
【技術分野】
【０００１】
本発明はヘッドレストに関し、特に入浴用に好適に用いられるヘッドレストに関する。
【背景技術】
【０００２】
従来、入浴用のヘッドレストは浴槽框部や浴槽背もたれ部に設けられることが多く、例えば特許文献１には、浴槽本体内の傾斜面の上部近傍に取付けされている浴槽用ヘッドレストが開示されている。
【０００３】
【特許文献１】特開平１１−４７０１７号公報
【発明の開示】
【発明が解決しようとする課題】
【０００４】
しかし、上記のようなヘッドレストは、通常支持部材などにより浴槽に直接固定されているため、一旦取り付けると取り外しが困難であるとともに、入浴者の体形や入浴姿勢に応じて高さ調節を行うことが困難であった。
【０００５】
本発明の目的は、上記従来の問題点に鑑み、取り付け取り外しが容易であるとともに、入浴者の体形や入浴姿勢に応じて容易に高さ調節を行うことが可能なヘッドレストを提供することにある。
【課題を解決するための手段】
【０００６】
請求項１記載のヘッドレストは、片側に凸部が設けられた台座と、該凸部に嵌合可能な複数の凹部が設けられた本体とからなるヘッドレストであって、上記凸部と凹部の嵌合位置を変えることによって本体の高さ調節が可能であり、台座及び本体が、壁面及びその壁面に繋がる框部に脱着可能な取り付け具を有することを特徴とする。
【０００７】
請求項２記載のヘッドレストは、請求項１記載のヘッドレストであって、脱着可能な取り付け具が吸盤であることを特徴とする。
【０００８】
請求項３記載のヘッドレストは、請求項１又は２記載のヘッドレストであって、台座又は本体が軟質発泡材からなることを特徴とする。
【発明の効果】
【０００９】
本発明によれば、台座に設けられた凸部と本体に設けられた複数の凹部とが嵌合されるので、入浴者の体形や入浴姿勢に合わせて凸部と凹部の嵌合位置をずらすことができ、高さ調節が可能なヘッドレストを提供することができる。
【００１０】
また、台座及び本体は壁面や框部に脱着可能に取り付けられるので、必要に応じて取り付け取り外しが容易なヘッドレストを提供することができる。
【００１１】
脱着可能な取り付け具が吸盤であると、上記効果は更に確実になる。
【００１２】
また、台座又は本体が軟質発泡材からなる場合には、更に使用時のクッション性を向上することができる。
【発明を実施するための最良の形態】
【００１３】
以下、本発明を実施するための最良の形態について、図面を参照しつつ説明する。
本発明のヘッドレストは、例えば図１に示すように、片側に凸部１が設けられた台座２と、該凸部１に嵌合可能な複数の凹部３，３・・が設けられた本体４とからなるヘッドレストであって、上記凸部１と凹部３の嵌合位置を変えることによって本体４の高さ調節が可能であり、台座２の凸部１が設けられていない側と下面側に、浴室の壁面５及びその壁面に繋がる浴槽の框部６に脱着可能な取り付け具として吸盤７，７，７を有し、本体４に浴室ユニットの壁面５に脱着可能な取り付け具として吸盤８を有するものである。
【００１４】
上記凸部１は、図２に示すように、本体の複数の凹部３，３・・と高さ調整可能に嵌合可能なものであればその形状や数は限定されなが、凸部１の形状が矩形形状であると、使用時に本体４に加わる垂直方向の荷重を受けて支えやすくなる点で好ましい。
【００１５】
上記取り付け具７，８としては、脱着可能なものであれば特に限定されず、例えば、吸盤、面ファスナー（マジックテープとも言われる）、又はマグネット式の取り付け具などが挙げられる。中でも、浴室などの水回りにおいては耐水性に優れる点で吸盤が好適である。
【００１６】
上記ヘッドレストによれば、図３（ａ），（ｂ）に例示するように、入浴者の体形や入浴姿勢に応じて、台座２と本体４の嵌合位置をずらして高さ調節を行うことができる。
【００１７】
上記台座２又は本体４が軟質発泡材からなるものであると、使用時に入浴者の頭部が本体４に当接される際のクッション性が向上する点で好ましい。軟質発泡材としては、柔軟性を有する発泡材であれば特に限定されず、例えば、ポリウレタン系樹脂発泡材、ポリオレフィン系樹脂発泡材などが挙げられる。また、上記台座２又は本体４は、軟質発泡材が積層されたものであってもよい。
【図面の簡単な説明】
【００１８】
【図１】本発明に係るヘッドレストの一例を取り付け状態と共に示す模式図である。
【図２】本発明に係るヘッドレストの嵌合状態を説明する模式断面図である。
【図３】本発明に係るヘッドレストの使用状態を説明する模式図である。
【符号の説明】
【００１９】
１  凸部
２  台座
３  凹部
４  本体
５  壁面
６  框部
７，８  取り付け具（吸盤）
【図１】
2005152031.tif 000003
【図２】
2005152031.tif 000004
【図３】
2005152031.tif 000005
(57)【要約】【課題】  髭を剃る際に肌に傷つけやすい場合、例えば、ニキビや吹き出物等がある場合にも、誤って肌を切ることがない振動式かみそりを提供する。【解決手段】  髭を切断するかみそり刃４が配置されたヘッド部１と、このヘッド部１に一端が連結されたグリップ部２と、かみそり刃４に振動を加える振動発生装置５を備えた振動式かみそりにおいて、かみそり刃４に一体印刷された樹脂製の肌保護部１０を刃先１１または刃先近傍から刃先の反対方向に連続して形成するとともに、かみそり刃４の長手方向に間隔を有して並設させている。【選択図】図１
2005152017.tif 000002
【特許請求の範囲】
【請求項１】
髭を切断するかみそり刃が配置されたヘッド部と、このヘッド部に一端が連結されたグリップ部と、かみそり刃に振動を加える振動発生装置を備えた振動式かみそりにおいて、かみそり刃に一体印刷された樹脂製の肌保護部を刃先または刃先近傍から刃先の反対方向に連続して形成するとともに、かみそり刃の長手方向に間隔を有して並設させたことを特徴とする振動式かみそり。
【発明の詳細な説明】
【技術分野】
【０００１】
本願発明は、例えば、１枚以上のかみそり刃を有し、かみそり刃を刃先の稜線方向と直交する方向に肌に対して摺動させて髭を剃るかみそりに関し、詳しくはかみそり刃を振動させる振動発生装置を設けて振動させながらかみそり刃で髭を剃る振動式かみそりに関するものである。
【背景技術】
【０００２】
一般に、この種の振動式かみそりとしては、特開昭６３−２２０８９８号公報に示されたものがある。この公報に示されたものは、安全かみそりと同じかみそり刃が取り付けられたヘッド部分を振動させるものあり、筒状の本体ハウジングの一端に連結したヘッド部にかみそり刃を取り付けるとともに、モータの出力軸に偏心分銅が装着されたものとして形成された振動発生装置を本体ハウジングに内蔵させている。
【０００３】
一般的な髭剃り手段である安全かみそりは、かみそり刃が髭を切断する抵抗が大きいと髭を引っ張ることにより不快感を感じたり、無理に剃ろうとすると髭がちぎれたりする。また、剃れないときにより剃れるようにするために肌へより強く刃を押し付ける場合があるが、このような場合、肌を傷つける危険が増加する。これは髭の濃いあるいは硬く、太く髭そのものの切断抵抗が大きい人の場合特に顕著である。
【０００４】
このような場合に対応したものとして、かみそり刃に金属ワイヤをかみそり刃の長手方向に間隔を置いて巻いたものなどがある。
【０００５】
しかしながら、この場合、金属ワイヤを巻くという手間が掛かるとともに、微細な形状、つまり、長手方向に狭い間隔で金属ワイヤを配置することは、非常に難しいものであり、製作とするにしても、大変、コスト高となるものであった。
【特許文献１】特開昭６３−２２０８９８号公報
【発明の開示】
【発明が解決しようとする課題】
【０００６】
本願発明は、上記従来の技術に鑑みて発明されたものであり、その課題は、髭を剃る際に肌に傷つけやすい場合、例えば、ニキビや吹き出物等がある場合にも、誤って肌を切ることがない振動式かみそりを提供することである。
【課題を解決するための手段】
【０００７】
上記課題を解決するために、本願発明の振動式かみそりでは、髭を切断するかみそり刃が配置されたヘッド部と、このヘッド部に一端が連結されたグリップ部と、かみそり刃に振動を加える振動発生装置を備えた振動式かみそりにおいて、かみそり刃に一体印刷された樹脂製の肌保護部を刃先または刃先近傍から刃先の反対方向に連続して形成するとともに、かみそり刃の長手方向に間隔を有して並設させている。
【発明の効果】
【０００８】
したがって、本願発明の振動式かみそりにおいては、髭を剃る際に肌に傷つけやすい場合、例えば、ニキビや吹き出物等がある場合にも、誤って肌を切ることがなく、かつ、金属ワイヤ製の肌保護部材に比べて手間が掛からず安価とすることができる。
【発明を実施するための最良の形態】
【０００９】
図１乃至図３は、本願発明の一実施形態である振動式かみそりを示している。この実施形態の振動式かみそりは、安全かみそり刃と同様の髭を切断するかみそり刃４を配置したヘッド部１と、使用の際に把持部となるグリップ部２と、ヘッド部１とグリップ部２との間にあってこの両者を連結している弾性体すなわち緩衝部材３、そしてヘッド部１に配した振動装置５とから構成されている。グリップ部２にはスイッチ回路８や電池９が内装してある。振動装置５には、直流モータ６が配置されており、直流モータ６の回転軸と振動装置５の中心軸が一致するように直流モータ６は固定されている。直流モータ６の回転により、偏心分銅７の一部が振動装置５の内面に接触する、もしくは内接しない場合にも振動装置５と偏心分銅７をあわせたものの重心が移動することにより、ヘッド部１が振動するようになっている。また、緩衝部材３があることによって、振動装置５の振動はヘッド部１のハウジングやグリップ部２を含むかみそり本体には極力伝達されることを防止している。
【００１０】
図３はかみそり刃４を説明するものであり、（ａ）は、かみそり刃４を拡大した要部の拡大図、（ｂ）はＡ−Ａ部断面の拡大図、（ｃ）は刃先１１のＢ部拡大図である。かみそり刃４は、一体印刷された樹脂製の肌保護部１０を刃先１１または刃先近傍から刃先の反対方向に連続して形成するとともに、かみそり刃４の長手方向に間隔を有して並設させている。
【００１１】
したがって、髭を剃る際に肌に傷つけやすい場合、例えば、ニキビや吹き出物等がある場合にも、誤って肌を切ることがないとともに、樹脂印刷であるため、金属ワイヤを巻きつけるものに比べて、肌保護部部の間隔を狭くすることができ、かつ、手間が掛からず安価に製作することができる。
【００１２】
また、肌保護部１０が、マイクログラビアロールコーターにより微細印刷されているものが好ましく、金属ワイヤを巻きつけるものに比べて生産性に優れており、単純な櫛型パターンに限らず、パターン自由度を大きくすることができる。
になる。
【００１３】
また、肌保護部１０に治癒効果のある剤が含浸されているものも好ましく、髭剃り時に剤が染み出して剥離した角質に接触して治癒を促進することができる。
【図面の簡単な説明】
【００１４】
【図１】本願発明の一実施形態である振動式かみそりを説明する断面図である。
【図２】同実施形態の振動式かみそりを示す全体斜視図である。
【図３】同実施形態の振動式かみそりの要部を説明する拡大図である。
【符号の説明】
【００１５】
１  ヘッド部
２  グリップ部
４  かみそり刃
５  振動装置
１０  肌保護部
１１  刃先
【図１】
2005152017.tif 000003
【図２】
2005152017.tif 000004
【図３】
2005152017.tif 000005